(57)【特許請求の範囲】
【請求項１】
スリットコイルを吊り上げて搬送するスリットコイルのハンドリング装置であって、
略水平方向に延びるフレームを備えた本体と、
前記フレームに取り付けられ、分離前のスリットコイルを立てた状態で、その中心空間に挿入される台部材と、
前記台部材上をその挿入方向に沿って移動可能に設けられ、分離前のスリットコイルを支持する複数の支持部材と、
前記複数の支持部材のうち隣接するもの同士をこれらが分離した状態で拘束する拘束機構と、
前記複数の支持部材における他との隣接部分の一部または全部が離隔するように、前記支持部材の移動方向先端の支持部材を駆動する駆動機構と
を具備することを特徴とするスリットコイルのハンドリング装置。
【請求項２】
前記拘束機構は、前記複数の支持部材の隣接するもの同士をつなぐワイヤーまたはチェーンを有することを特徴とする請求項１に記載のスリットコイルのハンドリング装置。
【請求項３】
前記拘束機構は、前記各支持部材に設けられた連結部と、隣接する支持部材において前記各支持部材の連結部が係止される係止部とを有し、互いに隣接する支持部材が離隔した状態で一方の支持部材の連結部が他方の支持部材の係止部に係止されることを特徴とする請求項１に記載のスリットコイルのハンドリング装置。
【請求項４】
前記複数の支持部材の隣接するもの同士を連結する連結ピンを有し、互いに隣接する支持部材が離隔した状態で対応する連結ピンがこれらの間を連結することを特徴とする請求項１に記載のスリットコイルのハンドリング装置。
【請求項５】
前記各支持部材が離隔した際に、隣接する支持部材の間に充填される充填部材をさらに具備することを特徴とする請求項１〜４のいずれかに記載のスリットコイルのハンドリング装置。
【請求項６】
前記充填部材は、前記各支持部材から突出して設けられ、前記各支持部材が隣接する支持部材と一体的である場合には、前記充填部材は隣接する支持部材の内部に挿入され、前記各支持部材が隣接する支持部材と離隔した場合には、前記充填部材はこれらの間を充填することを特徴とする請求項５に記載のスリットコイルのハンドリング装置。
【請求項７】
前記駆動機構は、先端に位置する支持部材のみを駆動することを特徴とする請求項１〜６のいずれかに記載のスリットコイルのハンドリング装置。
【請求項８】
前記各支持部材が隣接する支持部材と離隔しないようにする連結機構を有することを特徴とする請求項１〜７のいずれかに記載のスリットコイルのハンドリング装置。
【請求項９】
請求項１〜８のいずれかに記載のスリットコイルのハンドリング装置を用いたスリットコイルのハンドリング方法であって、
分離前のスリットコイルを立てた状態で、その中心空間に台部材を挿入する工程と、
前記台部材上にその挿入方向に沿って移動可能にかつ隣接するもの同士が離隔した状態で拘束されるように設けられた複数の支持部材に前記分離前のスリットコイルを支持させる工程と、
これら複数の支持部材の移動方向先端の支持部材を駆動して前記複数の支持部材における他との隣接部分の一部または全部を離隔させることにより、その上に支持されているスリットコイルを各コイル片に分離させる工程と
を具備することを特徴とするスリットコイルのハンドリング方法。
【請求項１０】
前記スリットコイルを分離させる工程の後、分離されたスリットコイルを結束する工程をさらに具備することを特徴とする請求項９に記載のスリットコイルのハンドリング方法。
【発明の詳細な説明】
【技術分野】
【０００１】
本発明は、鋼帯などの金属帯を巻回したコイルを幅方向に複数条に切断してなるスリットコイルを吊り上げて搬送するとともに、それらのスリットコイルを各条に分離するスリットコイルのハンドリング装置およびハンドリング方法に関する。
【背景技術】
【０００２】
広幅の鋼帯などの金属帯コイルは、その後の製品に合わせて幅方向に複数条に切断（スリット）され、狭幅のスリットコイルとされる。スリットコイルは、その後のハンドリング過程で弛緩したり、巻きずれが生じたりして、コイルの損傷やハンドリング上の不都合を生じさせないため、スリット直後に、外周方向（縦バンドかけ）および円周から外周に向けた半径方向（横バンドかけ）によりバンドをかけ固定される。
【０００３】
上述の横バンドかけの際には、スリットコイルを各条に分離する必要があるが、従来、この分離作業はクレーン等の搬送装置によりスリットコイルを吊り上げた状態で、作業者の手作業で行っている。しかし、金属帯コイルは一条だけでも非常に重いため、危険であるとともに作業効率が悪いという不都合がある。
【０００４】
一方、特許文献１には、このようなスリットコイルを作業者を介することなく分離する装置が開示されている。この装置は作業者を介在させないので安全ではあるが、スリットコイルを一条ずつ掴んで移動させなくてはならず、位置決めやコイルを掴む動作等の一連の動作をスリットコイル毎に行うので、極めて時間がかかる。また、スリットコイルを掴んで移動する機構が必要であり設備が大がかりなものとなってしまう。
【特許文献１】特開昭６３−１６８２２４号公報
【発明の開示】
【発明が解決しようとする課題】
【０００５】
本発明は、かかる事情に鑑みてなされたものであり、スリットコイルを吊り上げて搬送するスリットコイルのハンドリング装置であって、安全性が高く、かつコンパクトであり、効率的かつ迅速にスリットコイルを分離する機能を備えたスリットコイルのハンドリング装置、およびそのような装置を用いたスリットコイルのハンドリング方法を提供することを目的とする。
【課題を解決するための手段】
【０００６】
上記課題を解決するために、本発明は以下の特徴を有する。
【０００７】
［１］スリットコイルを吊り上げて搬送するスリットコイルのハンドリング装置であって、略水平方向に延びるフレームを備えた本体と、前記フレームに取り付けられ、分離前のスリットコイルを立てた状態で、その中心空間に挿入される台部材と、前記台部材上をその挿入方向に沿って移動可能に設けられ、分離前のスリットコイルを支持する複数の支持部材と、前記複数の支持部材のうち隣接するもの同士をこれらが分離した状態で拘束する拘束機構と、前記複数の支持部材における他との隣接部分の一部または全部が離隔するように、前記支持部材の移動方向先端の支持部材を駆動する駆動機構とを具備することを特徴とするスリットコイルのハンドリング装置。
【０００８】
［２］前記拘束機構は、前記複数の支持部材の隣接するもの同士をつなぐワイヤーまたはチェーンを有することを特徴とする前記［１］に記載のスリットコイルのハンドリング装置。
【０００９】
［３］前記拘束機構は、前記各支持部材に設けられた連結部と、隣接する支持部材において前記各支持部材の連結部が係止される係止部とを有し、互いに隣接する支持部材が離隔した状態で一方の支持部材の連結部が他方の支持部材の係止部に係止されることを特徴とする前記［１］に記載のスリットコイルのハンドリング装置。
【００１０】
［４］前記複数の支持部材の隣接するもの同士を連結する連結ピンを有し、互いに隣接する支持部材が離隔した状態で対応する連結ピンがこれらの間を連結することを特徴とする前記［１］に記載のスリットコイルのハンドリング装置。
【００１１】
［５］前記各支持部材が離隔した際に、隣接する支持部材の間に充填される充填部材をさらに具備することを特徴とする前記［１］〜［４］のいずれかに記載のスリットコイルのハンドリング装置。
【００１２】
［６］前記充填部材は、前記各支持部材から突出して設けられ、前記各支持部材が隣接する支持部材と一体的である場合には、前記充填部材は隣接する支持部材の内部に挿入され、前記各支持部材が隣接する支持部材と離隔した場合には、前記充填部材はこれらの間を充填することを特徴とする前記［５］に記載のスリットコイルのハンドリング装置。
【００１３】
［７］前記駆動機構は、先端に位置する支持部材のみを駆動することを特徴とする前記［１］〜［６］のいずれかに記載のスリットコイルのハンドリング装置。
【００１４】
［８］前記各支持部材が隣接する支持部材と離隔しないようにする連結機構を有することを特徴とする前記［１］〜［７］のいずれかに記載のスリットコイルのハンドリング装置。
【００１５】
［９］前記［１］〜［８］のいずれかに記載のスリットコイルのハンドリング装置を用いたスリットコイルのハンドリング方法であって、分離前のスリットコイルを立てた状態で、その中心空間に台部材を挿入する工程と、前記台部材上にその挿入方向に沿って移動可能にかつ隣接するもの同士が離隔した状態で拘束されるように設けられた複数の支持部材に前記分離前のスリットコイルを支持させる工程と、これら複数の支持部材の移動方向先端の支持部材を駆動して前記複数の支持部材における他との隣接部分の一部または全部を離隔させることにより、その上に支持されているスリットコイルを各コイル片に分離させる工程とを具備することを特徴とするスリットコイルのハンドリング方法。
【００１６】
［１０］前記スリットコイルを分離させる工程の後、分離されたスリットコイルを結束する工程をさらに具備することを特徴とする前記［９］に記載のスリットコイルのハンドリング方法。
【００１７】
本発明においては、スリットコイルを吊り上げて搬送するスリットコイルのハンドリング装置の本体に備えられた略水平方向に延びるフレームに台部材が取り付けられ、分離前のスリットコイルを立てた状態で、その中心空間に台部材を挿入し、台部材上にその挿入方向に沿って移動可能に設けられた複数の支持部材により分離前のスリットコイルを支持し、これら複数の支持部材を隣接するもの同士が所定長離隔した状態で拘束機構により拘束するようにして、複数の支持部材における他との隣接部分の一部または全部を離隔するように、前記支持部材の少なくとも一つを駆動する。この際に各支持部材は離隔した状態で拘束機構により拘束されるので、支持部材の少なくとも一つを駆動するだけで、その他の支持部材は所定長離隔した段階で順次移動されて行き、その上に支持されているスリットコイル片は、その重量が主にかかっている支持部材とともに移動し、分離される。
【発明の効果】
【００１８】
本発明によれば、上述したように、支持部材の移動により、作業者を介することなくスリットコイルを分離することができ安全であるとともに、支持部材の少なくとも一つを駆動するだけで、その他の支持部材は所定距離離隔した段階で順次移動され、それにともなってスリットコイル片が分離するので、効率的かつ迅速にスリットコイルを分離することができる。また、支持部材を駆動させるだけでスリットコイルを分離することができるので、大がかりな機構は不要であり、コンパクトな構成とすることができる。さらに、スリットコイルを吊り上げて搬送する状態でスリットコイルを分離することができるので、工程間の搬送作業が省け、作業工程が短縮される。
【発明を実施するための最良の形態】
【００１９】
以下、添付図面を参照して本発明の実施形態について詳細に説明する。
【００２０】
図１は本発明の一実施形態に係るスリットコイルのハンドリング装置を示す側面図、図２はその要部を示す斜視図である。このスリットコイルのハンドリング装置１００は、クレーン本体（図示せず）に連結され、スリットコイルを吊り上げて搬送するとともに、それらのスリットコイルを各条に分離する機能を有している。ハンドリング装置１００の本体４は、略水平方向に延びる上部フレーム４ａと、略垂直方向に延びる側部フレーム４ｂと、略水平方向に延びる下部フレーム４ｃからなるコの字形をしている（Ｃフック）。そして、その下部フレーム４ｃ上に台部材５が取り付けられており、この台部材５は、クレーン本体の作動によってハンドリング装置１００が水平方向に移動することにより、載置台２上のスリットコイル１の中心空間1ｓに挿入される。なお、図１中の３はクレーン本体との連結部、１１はバランスウエイトである。
【００２１】
台部材５の上面には、図２に示すように、その長手方向（挿入方向）に沿ってガイドレール６が設けられており、ガイドレール６上には６つの支持スライダー（支持部材）７ａ、７ｂ、７ｃ、７ｄ、７ｅ、７ｆが台部材５の長手方向に沿ってスライド可能に設けられている。支持スライダー７ａ〜７ｆはその隣接するもの同士がワイヤー８で繋がれており、支持スライダー７ａ〜７ｆはその隣接するもの同士が所定長離隔した段階でワイヤー８により互いに拘束されるようになっている。図示しているように、これら支持スライダー７ａ〜７ｆが一体的に配置され離隔していない初期状態ではワイヤー８はたるんだ状態となっている。支持スライダー７ａ〜７ｆの上面はスリットコイル１の中心空間１ｓの曲率に合わせた曲線になっている。
【００２２】
先端に設けられた支持スライダー７ａには水平方向に沿って延びるボールネジ９が螺合されている。台部材５にはボールネジ９を回転させるモータ１０が取り付けられている。なお、他の支持スライダーは支持スライダー７ａがモータ１０のよって駆動されて先端方向に移動した際にボールネジ９が挿入可能な孔が形成されている。
【００２３】
図３（ａ）に示すように、各支持スライダー７ｂ〜７ｆには（７ｂ〜７ｄのみ図示）、それぞれ、支持スライダー７ａ〜７ｅに収納されるように、充填部材１２ｂ〜１２ｆが水平方向に突出して設けられており、これら充填部材１２ｂ〜１２ｆは、図３（ｂ）に示すように、支持スライダー７ｂ〜７ｆが離隔した際に、これらの間を充填し、スリットコイル１を支持してコイル片に分離する際にスリットコイル１の転動を防止するようになっている。
【００２４】
次に、このように構成されるスリットコイル分離装置１００の動作について、図４のフローチャートと図５〜図９の動作説明図を参照して説明する。
【００２５】
（工程１）まず、図５に示すように、縦バンドをかけた状態のスリットコイル１（ここでは、６個のコイル片１ａ〜１ｆにスリットされている）を載置台２の所定位置に載置する。
【００２６】
（工程２）次いで、図６に示すように、クレーン本体の作動によってハンドリング装置１００を水平方向に移動することにより、台部材５をスリットコイル１の中心空間１ｓに挿入する。
【００２７】
（工程３）次いで、図７に示すように、クレーン本体の作動によってハンドリング装置１００を上方に移動することにより、スリットコイル１を支持スライダー７ａ〜７ｆにより支持する。
【００２８】
（工程４）この状態から、図８に示すように、支持スライダー７ａ〜７ｆを互いに離隔させ、それにともなってスリットコイル１をコイル片ａ、ｂ、ｃ、ｄ、ｅ、ｆに分離する。
【００２９】
この際の手順について図９を参照して詳細に説明する。なお、図９では、スリットコイル１が５個のコイル片１ａ〜１ｅにスリットされているものとしている。まず、モータ１０によりボールネジ９を回転させ、先頭の支持スライダー７ａをガイドレール６に沿って移動させる。これにともなって、スリットコイル１のうち、主に支持スライダー７ａに重量が乗っていた先頭のコイル片１ａが支持スライダー７ａの移動にともなって移動し、隣接するコイル片１ｂから分離する（図９の（ａ））。さらに支持スライダー７ａが移動して支持スライダー７ｂと所定長離隔すると、支持スライダー７ａと７ｂとの間のワイター８が張った状態となり、支持スライダー７ｂも移動し始める。このようにして、支持スライダー７ｃ、７ｄ、7ｅ、７ｆと順次同様に移動して行き、他のコイル片１ｂ、１ｃ、１ｄ、1ｅは、支持スライダー７ｃ、７ｄ、７ｅ、７ｆのうち主に重量が乗っていたものの移動にともなって移動し、図９（ｂ）の状態を経て、図９（ｃ）に示すように、５つのコイル片１ａ、１ｂ、１ｃ、１ｄ、１ｅに分離される。
【００３０】
（工程５）スリットコイル１がコイル片１ａ〜１ｆの各条に分離した後、これらコイル片に横バンドかけを行って結束する。この際の作業は、バンド（ワイヤー等）を自動的に巻回して結束する装置を用いることが好ましいが、作業者の手作業で行ってもよい。
【００３１】
本実施形態によれば、以上のように支持スライダー７ａ〜７ｆの移動により、作業者を介することなくスリットコイル１を分離することができ安全であるとともに、先端に位置する支持スライダー７ａを駆動するだけで、その他の支持スライダー７ｂ〜７ｆは所定距離離隔した段階で順次移動され、それにともなってスリットコイル１のコイル片１ａ〜１ｆが分離するので、効率的かつ迅速にスリットコイル１を分離することができる。また、支持スライダー７ａを駆動するだけでスリットコイル１を分離することができるので、大がかりな機構は不要であり、コンパクトな構成とすることができる。さらに、スリットコイル１を吊り上げて搬送する状態でスリットコイル１を分離することができるので、工程間の搬送作業が省け、作業工程が短縮される。
【００３２】
なお、本発明は、上記実施形態に限定されることなく種々変更可能である。例えば、支持部材である支持スライダーのうち隣接するもの同士をこれらが離隔した状態で拘束する拘束機構として、隣接する支持スライダーを繋ぐワイヤーを用いたが、これに限らず、チェーンや他の糸状要素を用いてもよい。また、図１０に示すように、支持スライダー７ｂ〜７ｆにそれぞれ連結部１３を突出するように設け、支持スライダー７ａ〜７ｅの内部にそれぞれ連結部１３が挿入される空洞部１４およびそれぞれ連結部１３が係止される係止部１５を設けて、支持スライダー７ａ〜７ｆが離隔せずに一体的に存在している際には、図１０（ａ）に示すように、連結部１３が空洞部１４に収納され、図１０（ｂ）に示すように、いずれかの隣接する支持スライダーが所定長離隔した際に、対応する連結部１３の先端が係止部１５に係止されるようにしてもよい。この場合には、連結部１３を上述した充填部として機能させることも可能である。さらに、図１１に示すように、支持スライダー７ｂ〜７ｆに、切り欠き部１６を設け、互いに隣接する支持スライダーが所定長離隔した際にこれらを連結する連結ピン１７の両端の係止部１７ａがこれら互いに隣接する支持スラーダーの各切り欠き部１６に係止されるようにしてもよい。
【００３３】
また、上記実施形態では、支持スライダーを駆動する機構としてボールネジ機構を用いたが、これに限定されることなく、ベルト駆動機構、チェーン駆動機構等の他の駆動機構であってもよい。駆動する支持スライダーとして先端のものを用いたが、それに限らず、少なくとも一つの支持スライダーを駆動するようにすればよい。
【００３４】
さらに、上記図９では、スリットコイルのコイル片が全て分離した際に、支持スライダーも全て離隔するように描いているが、支持スライダーの離隔の有無および離隔距離は、スリットコイルの乗り方によって影響され、例えば図１２に示すように、コイル片が２つの支持スライダーに均等に乗っている場合等はその２つの支持スライダーの間は開かないこともあるし（支持スライダー７ｃ、７ｄとコイル片１ｃ）、また、互いに隣接する支持スライダーの間が完全に最後まで離隔しない場合もある。
【００３５】
また、図１３に示すように、各支持スライダー７ａ〜７ｆに連結フック１８と係止具１９を取り付けて、適宜連結フック１８を隣接する支持スライダーの係止具１９に掛けることによって、当該支持スライダー間を離隔しないようにできるようにしてもよい。これによって、幅の広いコイル片を分離する際に、必要な支持スライダー間のみを離隔させて各コイル片に分離することができ、作業時間が短縮できる。
【００３６】
さらにまた、上記実施形態では、支持部材としてガイドレール上をスライドする支持スライダーを用いたが、スリットコイルの分離方向に移動可能であれば、スライダーに限らず、車輪等で走行させる他の移動態様のものであってもよい。
【図面の簡単な説明】
【００３７】
【図１】本発明の一実施形態に係るスリットコイルのハンドリング装置を示す図。
【図２】本発明の一実施形態に係るスリットコイルのハンドリング装置の要部を示す斜視図。
【図３】本発明の一実施形態に係るスリットコイルのハンドリング装置において、支持スライダーが分離した際に隣接する支持スライダーの間を充填する充填部材を説明するための図。
【図４】本発明の一実施形態に係るスリットコイルのハンドリング装置によりスリットコイルを分離し、分離したコイル片を結束する一連の工程を説明するフローチャート。
【図５】本発明の一実施形態に係るスリットコイルのハンドリング装置の動作を説明するための図。
【図６】本発明の一実施形態に係るスリットコイルのハンドリング装置の動作を説明するための図。
【図７】本発明の一実施形態に係るスリットコイルのハンドリング装置の動作を説明するための図。
【図８】本発明の一実施形態に係るスリットコイルのハンドリング装置の動作を説明するための図。
【図９】本発明の一実施形態に係るスリットコイルのハンドリング装置によるスリットコイル分離工程の動作を詳細に説明するための図。
【図１０】拘束機構の他の例を説明するための模式図。
【図１１】拘束機構のさらに他の例を説明するための模式図。
【図１２】スリットコイルを分離した際の支持スライダーの他の状態を示す模式図。
【図１３】支持スライダー間を離隔しないようにする機構を説明するための模式図。
【符号の説明】
【００３８】
１  スリットコイル
２  載置台
３  連結部
４  本体
４ａ  上部フレーム
４ｂ  側部フレーム
４ｃ  下部フレーム
５  台部材
６  ガイドレール
７ａ〜７ｆ  支持スラーダー（支持部材）
８  ワイヤー（拘束機構）
９  ボールネジ
１０  モータ
１１  バランスウエイト
１２ｂ〜１２ｆ  充填部材
１３  連結部
１４  空洞部
１５  係止部
１６  切り欠き部
１７  連結ピン
１７ａ  係止部
１８  連結フック
１９  係止具
【図１】
0004607735.tif 000002
【図２】
0004607735.tif 000003
【図３】
0004607735.tif 000004
【図４】
0004607735.tif 000005
【図５】
0004607735.tif 000006
【図６】
0004607735.tif 000007
【図７】
0004607735.tif 000008
【図８】
0004607735.tif 000009
【図９】
0004607735.tif 000010
【図１０】
0004607735.tif 000011
【図１１】
0004607735.tif 000012
【図１２】
0004607735.tif 000013
【図１３】
0004607735.tif 000014